(57)【要約】【課題】施工やメンテナンスが容易であり、効率も良い熱交換システム等を提供する。【解決手段】熱交換システム１は、熱媒体を循環させるとともに当該熱媒体の熱交換を行うための配管１１をヒートポンプ１２に接続して構成される。熱交換システム１は、構造物１００の屋上スラブ上の屋上水田２に設けられ、配管１１が屋上水田２の土層に埋設される。土層の上には水が張られ、稲の栽培がおこなわれる。屋上水田２には注水設備も設けられる。【選択図】図１
2018019660.tif 000002
【特許請求の範囲】
【請求項１】
熱媒体を循環させるとともに当該熱媒体の熱交換を行うための配管を有する熱交換システムであって、
構造物のスラブ上に設けられた土層に、前記配管が埋設されたことを特徴とする熱交換システム。
【請求項２】
熱媒体を循環させるとともに当該熱媒体の熱交換を行うための配管を有する熱交換システムであって、
構造物のスラブ上に設けられた水層に、前記配管が埋設されたことを特徴とする熱交換システム。
【請求項３】
前記配管に接続されたヒートポンプを備えることを特徴とする請求項１または請求項２記載の熱交換システム。
【請求項４】
前記土層に植生が行われたことを特徴とする請求項１記載の熱交換システム。
【請求項５】
前記土層の上に水層が設けられたことを特徴とする請求項１または請求項４に記載の熱交換システム。
【請求項６】
前記水層は水田であることを特徴とする請求項５記載の熱交換システム。
【請求項７】
前記水田の水位が所定値以下になると前記水田に注水を行う注水設備を有することを特徴とする請求項６記載の熱交換システム。
【請求項８】
前記土層は保水性を有することを特徴とする請求項１、４、５、６、７のいずれかに記載の熱交換システム。
【請求項９】
土層または水層の表面の前記スラブからの高さの最大値は、300mm以上であることを特徴とする請求項１から請求項８のいずれかに記載の熱交換システム。
【請求項１０】
前記配管は可とう性を有することを特徴とする請求項１から請求項９のいずれかに記載の熱交換システム。
【発明の詳細な説明】
【技術分野】
【０００１】
本発明は、熱交換システムに関する。
【背景技術】
【０００２】
省エネへのニーズの高まりから、地中熱利用型のヒートポンプシステムの普及が進んでいる。これは、冬季には地中の温熱、夏季には地中の冷熱を利用して空調負担等を軽減するシステムである（例えば、特許文献１参照）。一方、建物の屋上を活用した空気熱利用型のヒートポンプシステムも普及しており、大気熱を同様に利用し空調負担等を軽減する。
【先行技術文献】
【特許文献】
【０００３】
【特許文献１】特開2003-21360号公報
【発明の概要】
【発明が解決しようとする課題】
【０００４】
地中熱利用型のヒートポンプシステムでは、熱媒体を循環させるための配管を杭に設け、これを地中に打設するものがあるが、杭打ちコストなどの初期コストが課題となり、杭を打つためのスケジュール確保など工期面での課題もある。基礎コンクリートに配管を埋める場合もあるが、配管に不具合が生じた際のメンテナンス手法などに課題が残る。
【０００５】
空気熱利用型のヒートポンプシステムは大気熱を利用するため、一般的に地中熱と比較して効率が低くなる。また雨風にさらされるため劣化が早い、暴風雨に耐えうる設置をする必要がある、などの課題がある。
【０００６】
本発明は上記の問題に鑑みてなされたものであり、施工やメンテナンスが容易であり、効率も良い熱交換システム等を提供することを目的とする。
【課題を解決するための手段】
【０００７】
前述した課題を解決するための第１の発明は、熱媒体を循環させるとともに当該熱媒体の熱交換を行うための配管を有する熱交換システムであって、構造物のスラブ上に設けられた土層に、前記配管が埋設されたことを特徴とする熱交換システムである。
第２の発明は、熱媒体を循環させるとともに当該熱媒体の熱交換を行うための配管を有する熱交換システムであって、構造物のスラブ上に設けられた水層に、前記配管が埋設されたことを特徴とする熱交換システムである。
【０００８】
本発明では、熱交換用の配管を屋上水田や屋上公園の土層に埋設することで、従来の地中熱利用型のヒートポンプシステムと同様、夏季には地中の冷熱を利用し、冬季には地中の温熱を利用して効率よく熱交換ができる。また杭打ちなども不要で施工がしやすく、コンクリートに配管等を埋設する必要もないので配管の掘り出しも容易でメンテナンスもしやすい。また、空気熱利用型のヒートポンプシステムのように雨風にさらされて劣化することもなく、暴風雨によって損傷等が生じることもない。これは配管を池等の水層に埋設する場合も同様である。
【０００９】
前記配管に接続されたヒートポンプを備えることが望ましい。
これにより、屋上の土層等に埋設した配管を利用したヒートポンプシステムを構築できる。本発明の熱交換システムでは前記のように効率よく熱交換ができるので、屋上に設置されるような空気熱利用型のヒートポンプシステムと比べてヒートポンプを小規模のものとでき、スペースの有効利用が可能になり構造物の耐荷重やコストの低減につながり、排熱によるヒートアイランド化も抑制できる。
【００１０】
第１の発明の熱交換システムでは、前記土層に植生が行われることが望ましい。
この場合、植物の蒸散等による放熱効果により、土層に埋設した配管による熱交換の効率向上が夏季等において期待できる。また自然と触れ合える魅力ある景観を形成できる。
【００１１】
第１の発明の熱交換システムでは、前記土層の上に水層が設けられることが望ましい。前記水層は例えば水田であり、前記水田の水位が所定値以下になると前記水田に注水を行う注水設備を有することも望ましい。
この場合、土層を低温化でき、同じく土層に埋設した配管による熱交換の効率向上が夏季等において期待できる。また土層上で稲等を生育することで、食や自然環境への関心の向上や地域コミュニケーションの醸成、生物多様性などの点でも好ましい。上記の注水設備を設け水量を維持することで、稲の生育面だけでなく、夏季等における配管による熱交換の効率向上にも寄与する。
【００１２】
第１の発明の熱交換システムにおいて、前記土層は保水性を有することが望ましい。
これにより土層の水分量をコントロールでき、土層の熱伝導率の向上による熱交換の効率向上が期待できる。
【００１３】
土層または水層の表面の前記スラブからの高さの最大値は、300mm以上であることが望ましい。
これにより、土層等の300mm以上の深さに配管を埋設できるようになり、配管周囲の土層等の温度が安定し、熱交換システムを好適に稼働させることができる。
【００１４】
前記配管は可とう性を有することが望ましい。
これにより、配管がその設置高さの違いに追随できるようになる。
【発明の効果】
【００１５】
本発明により、施工やメンテナンスが容易であり、効率も良い熱交換システム等を提供することができる。
【図面の簡単な説明】
【００１６】
【図１】熱交換システム１を示す図。
【図２】配管１１の配置を示す図。
【図３】熱交換システム１’を示す図。
【図４】配管１１の配置を示す図。
【図５】熱交換システム１ａを示す図。
【図６】配管１１の配置を示す図。
【図７】土層３５を示す図。
【発明を実施するための形態】
【００１７】
以下、図面に基づいて本発明の好適な実施形態について詳細に説明する。
【００１８】
[第１の実施形態]
図１は本発明の第１の実施形態に係る熱交換システム１を示す図である。この熱交換システム１は、構造物１００の屋上スラブ上の屋上水田２に設けられる屋外設備であり、配管１１、ヒートポンプ１２、設備配管１３等を有する。構造物１００は特に限定されず、例えばビル、学校、住宅、駐車場、操車場、調整池その他の施設とすることができる。
【００１９】
配管１１は熱媒体を循環させるとともに当該熱媒体の熱交換を行うためのものであり、例えば可とう性を有する樹脂製のチューブなどが用いられる。樹脂としては例えばポリエチレンや塩化ビニルなどを用いることができる。配管１１はヒートポンプ１２に接続され、屋上水田２の土層に埋設される。熱媒体は特に限定されず、この種の熱媒体として通常用いられる液体等を用いることができる。
【００２０】
配管１１はヒートポンプ１２から出てヒートポンプ１２に戻るように一筆書き状に設けられ、略Ｕ字状の部分が連続するように配置される。ただし、配管１１の配置はこれに限ることはない。例えば梯子状やスパイラル状に配管１１を配置することも可能である。
【００２１】
ヒートポンプ１２は、配管１１内の熱媒体を利用して設備配管１３内の熱媒体の温度を変化させるものである。ヒートポンプ１２の構成は特に限定されず、熱交換器等を備えた既知のものを利用可能である。
【００２２】
設備配管１３はヒートポンプ１２に接続され、構造物１００に設置された空調設備などの各種設備で用いる熱媒体等を循環させる。
【００２３】
図２は屋上水田２における配管１１の配置の例を示す図である。屋上水田２は、構造物１００のコンクリート製の屋上スラブ上に設けられる。
【００２４】
屋上水田２は、スラブ上に設けた遮水シート２１（遮水層）の上に土層２２を設け、土層２２の凹部の上に水２３（水層）を張り稲２４の栽培を行うものである。
【００２５】
前記の配管１１は遮水シート２１の上に配置して土層２２の最下部に埋設され、配管１１内を循環する熱媒体と土層２２との間で熱交換が行われる。水２３の表面（水面）のスラブからの高さは、最大値で300mm以上としておき、配管１１が水面から300mm以上の深さに埋設できるようにしておくが、これに限ることはない。
【００２６】
土層２２内には排水用のドレーン２５も埋設され、土層２２内の水分量を適切な値に維持することができる。ドレーン２５は透水性を有する素材で形成され、屋上スラブ上の相対的に低い位置に配置される。ドレーン２５の上に防根シート（不図示）を設けて植物の根などによる目詰まりを防ぐことも可能である。
【００２７】
屋上水田２には注水設備２７も設けられる。注水設備２７は雨水等を貯留する貯水設備（不図示）に接続され、稲生育期の夏季等に屋上水田２の水位が所定値以下となった場合に注水を行うものである。水田の水位維持は、基本的に田植えから稲刈り前の水抜きまでの間行い、その期間は6月から9月あるいは10月までであるが、これに限ることはない。また、注水設備２７は省略することも可能である。
【００２８】
熱交換システム１の施工時は、新築の構造物１００の場合はその屋上スラブの完成後、屋上スラブの上に遮水シート２１を敷設してその上に配管１１やドレーン２５その他の土層２２に埋設する設備を配置して配管１１とヒートポンプ１２を接続し、土壌を搬入しこれを整形して土層２２を構築する。以降は通常の水田と同様であり、必要な時期に稲２４を植えて土層２２上に水２３を張ることとなる。既設の構造物１００の場合は、既設の屋上スラブの上に上記の手順で熱交換システム１を構築することができる。
【００２９】
本実施形態では、熱交換用の配管１１を屋上水田２の土層２２に埋設することで、従来の地中熱利用型のヒートポンプシステムと同様、夏季には地中の冷熱を利用し、冬季には地中の温熱を利用して効率よく熱交換ができる。例えば夏季には外気温と土層２２内の温度差を30度程度にまですることができる。また本実施形態の熱交換システム１は杭打ちなども不要で施工がしやすく、コンクリートに配管等を埋設することもないので配管１１の掘り出しも容易でメンテナンスもしやすい。また、空気熱利用型のヒートポンプシステムのように雨風にさらされて劣化することもなく、暴風雨によって損傷等が生じることもない。
【００３０】
また本実施形態の熱交換システム１では、屋上の土層２２に埋設した配管１１を利用した効率の良いヒートポンプシステムが構築できるので、屋上に設置されるような空気熱利用型のヒートポンプシステムと比べてヒートポンプ１２を小規模のものとでき、スペースの有効利用が可能になり構造物１００の耐荷重やコストの低減につながり、排熱によるヒートアイランド化も抑制できる。
【００３１】
また、本実施形態では熱交換システム１を屋上水田２に適用し、配管１１を埋設した土層２２の上に水層（水２３）を設けることで、土層２２を低温化でき、特に夏季において外気温との差を大きくして熱交換の効率を向上させることが期待できる。土層２２上で稲２４等を生育することで、食や自然環境への関心の向上や地域コミュニケーションの醸成、生物多様性などの点でも好ましい。
【００３２】
また、屋上水田２に前記の注水設備２７を設け稲生育期の夏季等に水量を維持することで、稲２４の生育面だけでなく、夏季等における配管１１による熱交換の効率向上にも寄与する。なお、屋上水田２で土を耕転する通常管理を行う場合、配管１１を損傷するリスクもあるが、不耕起で管理を行う方法もあり、この場合には配管１１を損傷する心配もない。
【００３３】
また、配管１１は可とう性を有するので、本実施形態のように配管１１を平面的に配置する場合に、スラブの段差などの設置高さの違いに追随することができる。また、300mm以上の深さに配管１１を埋設することで、配管周囲の土層２２の温度が安定し、熱交換システム１を好適に稼働させることができる。
【００３４】
しかしながら、本発明はこれに限らない。例えば本実施形態では熱交換システム１にヒートポンプ１２を設けているが、ヒートポンプ１２を設けずに、前記の設備配管１３を図１の配管１１と同様に配置して直接熱交換を行ってもよい。また図３の熱交換システム１’に示すように、屋上水田２を複数のゾーンにわけて、それぞれのゾーンに対して配管１１やヒートポンプ１２等を設けてもよい。
【００３５】
また、本実施形態では配管１１として可とう性を有する樹脂製のチューブを用いたが、銅やステンレスなどの金属製のパイプなどを用いることも可能である。この場合、配管１１の下に不織布などの緩衝材を設けて配管１１の保護を行うことも可能である。
【００３６】
さらに、本実施形態では熱交換システム１を屋上水田２に適用しているが、屋上菜園などその他の屋上農園に適用することも可能であり、上記と同様の効果が得られる。
【００３７】
例えば図４は野菜２６を栽培する屋上菜園の例であり、この場合は前記のような水層（水２３）を設ける必要はないが、土層２２の表面のスラブからの高さの最大値は300mm以上としておき、配管１１を土層２２の表面から300mm以上の深さに埋設できるようにしておくことが望ましい。特に既設の構造物１００の場合など構造物１００上の荷重が限定されるケースでは、新たに屋上農園等を施工する際に土層２２の荷重を大きくせずに土層表面の高さを稼ぐため、空隙を有する袋体や発泡体などによる軽量のスペーサーや、軽量土壌を用いることも可能である。上記のスペーサーは、土層２２を掘り起こして配管１１のメンテナンスを行う際に配管１１の位置を示す目印として役立てることも可能である。
【００３８】
以下、本発明の別の例について第２の実施形態として説明する。第２の実施形態は、第１の実施形態と異なる点について説明し、同様の点については図等で同じ符号を付すなどして説明を省略する。また、第１、第２の実施形態の構成は必要に応じて組み合わせることができる。
【００３９】
[第２の実施形態]
図５は本発明の第２の実施形態の熱交換システム１ａを示す図である。本実施形態の熱交換システム１ａは、緑地３１や池３２、樹木３３などを有する屋上公園（庭園）３に設けられる点で第１の実施形態と異なる。
【００４０】
図６は屋上公園３における配管１１の配置の例を示す図である。屋上公園３は、構造物１００のコンクリート製の屋上スラブ上に設けられる。
【００４１】
屋上公園３は、スラブ上に設けた遮水シート３４の上に土層３５（土あるいは砂）を設け、土層３５の凹部の上に水を張り池３２（水層）とし、土層３５の上に植生を行い緑地３１としたものである。土層３５の表面のスラブからの高さの最大値は例えば500mm以上とする。前記の配管１１は、池３２の水底に設置（埋設）されたり、緑地３１の土層３５に埋設されたりする。緑地３１の土層３５を掘り起こして配管１１のメンテナンスを行うことも可能である。
【００４２】
この場合も、配管１１が土層３５に埋設されることにより第１の実施形態と同様の効果が得られ、池３２において水中に配管１１が設置されるケースでも同様の効果が得られる。また土層３５の上に植生を行うことで、植物の蒸散等による放熱効果により、土層３５に埋設した配管１１による熱交換の効率向上が夏季等において期待でき、自然と触れ合える魅力ある景観も形成できる。これは前記のような屋上水田２における稲２４や屋上菜園における野菜２６に関しても同様である。
【００４３】
また、屋上公園３などの公共空間において配管１１内の熱媒体の熱交換を行うことで、地域冷暖房などにも熱交換システム１ａを好適に使用できる。さらに、豪雨時などには土層３５で保水を行い都市内への流出を防止することもできる。
【００４４】
また緑地３１などでは自動散水設備を設けることも可能であり、夏季等に散水を行うことで土層３５の温度を安定させ、また土層３５の水分量を所定の範囲に維持することで土層３５の熱伝導率の向上による熱交換の効率向上が期待できる。この水分量（含水率）は、例えば重量比で20%程度とする。また土層３５の水分量をモニタリング装置でモニタリングし、所定の範囲を外れたときに人手であるいは上記の自動散水設備で散水を行うことも可能である。これは前記した屋上菜園のケースなどでも同様である。
【００４５】
また土層３５の水分量をコントロールするため、土層３５を保水性を有するものとしてもよい。保水性は、水分を貯留するための空隙を有する部材によって実現でき、当該部材として空隙を有する繊維等による保水材や多孔質土壌を用いることができる。また図７に示すように、土層３５の下部をより粗い粒子の層とし、上部をより細かい粒子の層としてこれらの層の空隙の表面張力効果によって保水性を実現することも可能である。これによっても、土層３５の熱伝導率の向上による熱交換の効率向上が期待できる。
【００４６】
このように、本発明の熱交換システムは様々な屋外空間に適用可能であり、上記のような屋上農園や屋上公園以外にも、ビオトープや放牧地などに適用することも可能である。
【００４７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００４８】
１、１’、１ａ；熱交換システム
２；屋上水田
３；屋上公園
１１；配管
１２；ヒートポンプ
１３；設備配管
２１、３４；遮水シート
２２、３５；土層
２３；水
２４；稲
２５；ドレーン
２６；野菜
２７；注水設備
３１；緑地
３２；池
３３；樹木
１００；構造物
【図１】
2018019660.tif 000003
【図２】
2018019660.tif 000004
【図３】
2018019660.tif 000005
【図４】
2018019660.tif 000006
【図５】
2018019660.tif 000007
【図６】
2018019660.tif 000008
【図７】
2018019660.tif 000009